(57)【要約】【課題】コネクタの小型化を実現する。【解決手段】コネクタ３０は、ベースハウジング４０と、カバーハウジング５０と、電線押さえ部材７０とを備える。カバーハウジング５０は、被覆電線Ｃが挿入される電線用孔５１を有し、ベースハウジング４０に装着され、ベースハウジング４０と対向する底面５０ａに電線押さえ部材用孔５２が設けられている。電線押さえ部材７０は、電線押さえ部材用孔５２に嵌め込まれ、電線用孔５１に挿入された被覆電線Ｃを保持する。【選択図】図６
2019021462.tif 000002
【特許請求の範囲】
【請求項１】
ベースハウジングと、
電線が挿入される電線用孔を有し、前記ベースハウジングに装着され、前記ベースハウジングと対向する面に電線押さえ部材用孔が設けられているカバーハウジングと、
前記電線押さえ部材用孔に嵌め込まれ、前記電線用孔に挿入された前記電線を保持する電線押さえ部材と、
を備える、コネクタ。
【請求項２】
前記電線押さえ部材には、第１係止部が設けられ、
前記電線押さえ部材用孔の内面には、前記第１係止部が係止する被係止部が設けられ、
前記第１係止部と前記被係止部との係止により、前記電線押さえ部材は前記電線を保持する、請求項１に記載のコネクタ。
【請求項３】
前記電線押さえ部材には、前記被係止部に係止する第２係止部が設けられ、
前記第２係止部は、前記第１係止部の形成位置よりも前記電線押さえ部材の先端側に形成されている、請求項２に記載のコネクタ。
【請求項４】
前記電線押さえ部材は板状の部材から構成され、
前記電線押さえ部材用孔は、開口が細長いスロットから構成されている、請求項１から３のいずれか一項に記載のコネクタ。
【請求項５】
前記ベースハウジングに対して前記カバーハウジングを装着する方向と、前記電線押さえ部材用孔に対して前記電線押さえ部材が嵌め込まれる方向とは、逆方向である、請求項１から４のいずれか一項に記載のコネクタ。
【請求項６】
前記電線押さえ部材の先端は、前記電線の断面形状に適合する形状に形成されている、請求項１から５のいずれか一項に記載のコネクタ。
【請求項７】
前記ベースハウジングは、前記電線押さえ部材の先端と反対側の基端に当接する面又は前記電線押さえ部材に向けて突出した突出部を有する、請求項１から６のいずれか一項に記載のコネクタ。
【請求項８】
前記ベースハウジングに配置される圧接端子を備え、
前記圧接端子には、前記電線の被覆を除去する圧接刃が形成されている、請求項１から７のいずれか一項に記載のコネクタ。
【発明の詳細な説明】
【技術分野】
【０００１】
本発明は、コネクタに関する。
【背景技術】
【０００２】
特許文献１には、カバーハウジングの上面から取り付けられることで、ベースハウジングに配置されている電線を保持する電線保持部を備えるコネクタが記載されている。
【０００３】
特許文献１の記載のコネクタでは、電線保持部は、その図１８及び図１９に示すように、カバーハウジングを挟み込む一対のアームを有している。この一対のアームの先端には、係止爪が形成されていると共に、カバーハウジングの側面には、当該係止爪が係止する係止爪が形成されている。一対のアームがカバーハウジングを挟み込みつつ、係止爪と係止爪とが係止することにより、電線保持部は、電線を保持しつつ、カバーハウジングに固定される。
【先行技術文献】
【特許文献】
【０００４】
【特許文献１】特開２００４−５５５１５号公報
【発明の概要】
【発明が解決しようとする課題】
【０００５】
特許文献１の記載のコネクタでは、電線保持部がカバーハウジングを挟み込む一対のアームを有しているため、電線保持部の幅が大きくなり、結果として、コネクタ全体のサイズが大きくなる。
【０００６】
本発明は、上述の事情の下になされたもので、コネクタの小型化を実現することを目的とする。
【課題を解決するための手段】
【０００７】
上述の目的を達成するために、本発明に係るコネクタは、
ベースハウジングと、
電線が挿入される電線用孔を有し、前記ベースハウジングに装着され、前記ベースハウジングと対向する面に電線押さえ部材用孔が設けられているカバーハウジングと、
前記電線押さえ部材用孔に嵌め込まれ、前記電線用孔に挿入された前記電線を保持する電線押さえ部材と、
を備える。
【０００８】
前記電線押さえ部材には、第１係止部が設けられ、
前記電線押さえ部材用孔の内面には、前記第１係止部が係止する被係止部が設けられ、
前記第１係止部と前記被係止部との係止により、前記電線押さえ部材は前記電線を保持してもよい。
【０００９】
前記電線押さえ部材には、前記被係止部に係止する第２係止部が設けられ、
前記第２係止部は、前記第１係止部の形成位置よりも前記電線押さえ部材の先端側に形成されていてもよい。
【００１０】
前記電線押さえ部材は板状の部材から構成され、
前記電線押さえ部材用孔は、開口が細長いスロットから構成されていてもよい。
【００１１】
前記ベースハウジングに対して前記カバーハウジングを装着する方向と、前記電線押さえ部材用孔に対して前記電線押さえ部材が嵌め込まれる方向とは、逆方向であってもよい。
【００１２】
前記電線押さえ部材の先端は、前記電線の断面形状に適合する形状に形成されていてもよい。
【００１３】
前記ベースハウジングは、前記電線押さえ部材の先端と反対側の基端に当接する面又は前記電線押さえ部材に向けて突出した突出部を有していてもよい。
【００１４】
前記ベースハウジングに配置される圧接端子を備え、
前記圧接端子には、前記電線の被覆を除去する圧接刃が形成されていてもよい。
【発明の効果】
【００１５】
本発明に係るコネクタにおいては、電線押さえ部材は、カバーハウジングの電線押さえ部材用孔に嵌め込まれている。このため、電線押さえ部材を小型化することができ、ひいては、コネクタの小型化を実現することができる。
【図面の簡単な説明】
【００１６】
【図１】本発明の実施の形態に係るコネクタ及び相手側コネクタの斜視図である。
【図２】コネクタの分解斜視図である。
【図３】（Ａ）は、プリセット状態におけるコネクタの斜視図である。（Ｂ）は、プリセット状態におけるコネクタの平面図である。
【図４】（Ａ）は、図３のＡ−Ａ断面図である。（Ｂ）は、図３のＢ−Ｂ断面図である。
【図５】（Ａ）は、圧接状態におけるコネクタの斜視図である。（Ｂ）は、圧接状態におけるコネクタの平面図である。
【図６】（Ａ）は、図５のＡ−Ａ断面図である。（Ｂ）は、図５のＢ−Ｂ断面図である。
【図７】コネクタに被覆電線を接続する方法を説明するためのＹＺ断面図（その１）である。
【図８】コネクタに被覆電線を接続する方法を説明するためのＹＺ断面図（その２）である。
【図９】コネクタに被覆電線を接続する方法を説明するためのＹＺ断面図（その３）である。
【図１０】コネクタに被覆電線を接続する方法を説明するためのＹＺ断面図（その４）である。
【図１１】コネクタに被覆電線を接続する方法を説明するためのＹＺ断面図（その５）である。
【図１２】（Ａ）は、コネクタに被覆電線を接続する方法を説明するためのＸＺ断面図である。（Ｂ）は、（Ａ）のＢ−Ｂ断面図である。（Ｃ）は、（Ａ）のＣ−Ｃ断面図である。
【図１３】コネクタに被覆電線を接続する方法を説明するためのＹＺ断面図（その６）である。
【図１４】コネクタに被覆電線を接続する方法を説明するためのＹＺ断面図（その７）である。
【図１５】電線押さえ部材の効果を説明するための図であり、（Ａ）は比較例に係るカバーハウジング及び電線押さえ部材の断面図であり、（Ｂ）は本発明の実施の形態に係るカバーハウジング及び電線押さえ部材の断面図である。
【発明を実施するための形態】
【００１７】
以下、本発明の実施の形態に係るコネクタ３０について、図１〜図１５を用いて説明する。なお、理解を容易にするために、ＸＹＺ座標を設定し、適宜参照する。
【００１８】
コネクタ３０は、図１に示すように、メスコネクタから構成されている。コネクタ３０は、オスコネクタである相手側コネクタ２０に嵌合するもので、例えば、自動車に装備される電子回路部品同士の接続に用いられる。
【００１９】
相手側コネクタ２０は、相手側ベースハウジング２１と、相手側カバーハウジング２２と、導電性の素材からなる相手側圧接端子と、相手側電線押さえ部材とを有する。相手側端子は、オス端子から構成されている。相手側カバーハウジング２２及び相手側電線押さえ部材は、後述するコネクタ３０のカバーハウジング５０及び電線押さえ部材７０とそれぞれ同等の部材である。
【００２０】
コネクタ３０には、図２に示すように、被覆電線Ｃが接続されて使用される。コネクタ３０は、ベースハウジング４０と、カバーハウジング５０と、２つの圧接端子６０と、電線押さえ部材７０とを有する。
【００２１】
ベースハウジング４０は、絶縁性の素材からなり、圧接端子６０が載置される部材である。ベースハウジング４０には、上方（＋Ｚ方向）が解放される空間４１が形成されている。この空間４１には、上方からカバーハウジング５０が嵌め込まれる。空間４１を形成する底面４１ａには、＋Ｚ方向に突出する突出部４２が形成されている。突出部４２は、Ｘ軸方向に沿って延設されている。この突出部４２は、圧接端子６０をベースハウジング４０に挿入する際に、圧接端子６０の挿入を案内するために設けられている。
【００２２】
空間４１を形成する側壁面４１ｂ、４１ｃには、被係止部４３がそれぞれ形成されている。
【００２３】
カバーハウジング５０は、絶縁性の素材からなり、圧接端子６０を覆う部材である。カバーハウジング５０は、直方体形状に形成されている。カバーハウジング５０の＋Ｘ側の後端面には、被覆電線Ｃが挿入される電線用孔５１が形成されている。このカバーハウジング５０は、図３及び図４に示す被覆電線Ｃがカバーハウジング５０に圧接される前のプリセット状態での位置（プリセット位置）から、図５及び図６に示す被覆電線Ｃが圧接端子６０に圧接されている圧接状態での位置（圧接位置）まで移動可能にベースハウジング４０に取り付けられている。
【００２４】
図４（Ａ）に示すように、カバーハウジング５０の底面５０ａには、電線押さえ部材用孔５２と、２つの圧接端子用孔５３とが設けられている。電線押さえ部材用孔５２は、開口がＹ軸方向に細長いスロットから構成されている。この電線押さえ部材用孔５２は、非貫通状態に形成されている。圧接端子用孔５３は、底面５０ａから上面５０ｄまでＺ軸方向に貫通して形成されている。
【００２５】
図４（Ｂ）及び図２に示すように、カバーハウジング５０の両側の側壁面５０ｂ、５０ｃには、被係止部４３に係止するプリセット用係止部５４と圧接用係止部５５とが設けられている。プリセット用係止部５４は、圧接用係止部５５の形成位置よりも下側（−Ｚ側）に形成されている。プリセット用係止部５４は、カバーハウジング５０がプリセット位置にあるときに被係止部４３に係止し、圧接用係止部５５がベースハウジング４０に当接する。圧接用係止部５５は、図６（Ｂ）に示すように、カバーハウジング５０が圧接位置にあるときに被係止部４３に係止する。
【００２６】
図４（Ｂ）に示すように、電線押さえ部材用孔５２の内面には、被係止部５６が設けられている。詳しくは、被係止部５６は、電線押さえ部材７０の−Ｙ側の側端部及び＋Ｙ側の側端部に対向する内面に一つずつ形成されている。
【００２７】
図２に示すように、圧接端子６０は、一枚の導電性の板を曲げることにより形成されているメス端子である。導電性の板は、例えば、銅、銅合金、アルミニウムなどから形成されている。この圧接端子６０は、筒状部６１と、ベース部６２と、ベース部６２に支持される導体接続部６３及び被覆固定部６４とを備える。
【００２８】
筒状部６１は、相手方端子が挿入される開口を備え、四角筒状に形成されている。筒状部６１の開口から相手側端子が挿入されると、圧接端子６０と相手側端子とは電気的に接続される。
【００２９】
ベース部６２は、筒状部６１から＋Ｘ方向に延設されている。
【００３０】
導体接続部６３は、被覆電線Ｃの導体部分と接触する部分である。導体接続部６３は、ベース部６２から垂直に立設されている。導体接続部６３には、上方（＋Ｚ方向）が開放されたＵ字形状のスリットが形成されている。導体接続部６３のスリットには、被覆電線Ｃの被覆を除去する圧接刃６３ａが形成されている。
【００３１】
被覆固定部６４は、被覆電線Ｃの被覆部分を保持する部分である。被覆固定部６４は、ベース部６２から垂直に立設されていると共に、導体接続部６３に対して平行に配置されている。被覆固定部６４には、上方が開放されたＵ字形状のスリットが形成されている。被覆固定部６４のスリットは、その幅が、導体接続部６３のスリットの幅よりも大きく形成されている。被覆固定部６４のスリットは、導体接続部６３のスリットとは異なり、圧接刃６３ａが形成されていないスリットである。
【００３２】
電線押さえ部材７０は、被覆電線Ｃをカバーハウジング５０に対して押さえることにより、被覆電線Ｃを保持する部材である。電線押さえ部材７０の先端（＋Ｚ側の端部）は、被覆電線Ｃの断面形状に適合する形状に形成されている。具体的には、電線押さえ部材７０の先端には、被覆電線Ｃの外形に対応した円弧状の電線配置部７０ａが２つ形成されている。また、電線押さえ部材７０は、図４（Ａ）に示すように、電線押さえ部材用孔５２のＸ軸方向の長さＬと同等又はやや小さい厚みｄを有する板状の部材に形成されている。図４（Ｂ）に示すように、電線押さえ部材７０の基端７０ｃ（−Ｚ側の端部）には、ベースハウジング４０の突出部４２を逃がす溝７０ｂが形成されている。図６（Ｂ）に示すように、カバーハウジング５０が圧接位置にあるとき、電線押さえ部材７０の基端７０ｃは、ベースハウジング４０の空間４１の底面４１ａに接触し、電線押さえ部材７０に向けて突出した突出部４２は、電線押さえ部材７０の溝７０ｂに入り込む。
【００３３】
図４（Ｂ）に示すように、電線押さえ部材７０の−Ｙ側の側端部及び＋Ｙ側の側端部のそれぞれには、被係止部５６に係止する第１係止部７１及び第２係止部７２が設けられている。
【００３４】
第１係止部７１は、図６（Ｂ）に示すように、カバーハウジング５０が圧接位置にあるときに被係止部５６に係止する。第１係止部７１が被係止部５６に係止することにより、電線押さえ部材７０は被覆電線Ｃをカバーハウジング５０に押し付ける。この結果、被覆電線Ｃはカバーハウジング５０に保持される。
【００３５】
第２係止部７２は、図４（Ｂ）に示すように、カバーハウジング５０がプリセット位置にあるときに被係止部５６に係止する。第２係止部７２は、第１係止部７１の形成位置よりも電線押さえ部材７０の先端側（＋Ｚ側）に形成されている。
【００３６】
上述のように構成されたコネクタ３０に被覆電線Ｃを接続する方法について、図７〜図１４を用いて説明する。
【００３７】
先ず、図７に示すように、作業者は、電線押さえ部材７０を、カバーハウジング５０の電線押さえ部材用孔５２に嵌め込む。本実施の形態において、電線押さえ部材用孔５２に対して電線押さえ部材７０が嵌め込まれる方向Ａ１は＋Ｚ方向である。電線押さえ部材７０を電線押さえ部材用孔５２に嵌め込んでいくと、図８に示すように、電線押さえ部材７０の第２係止部７２が、電線押さえ部材用孔５２の被係止部５６に係止する。第２係止部７２が被係止部５６に係止することにより、電線押さえ部材７０は、カバーハウジング５０から脱落しないように、カバーハウジング５０に取り付けられる。
【００３８】
続いて、図９に示すように、作業者は、電線押さえ部材７０が取り付けられたカバーハウジング５０を、上方からベースハウジング４０の空間４１に押し込む。ここで、ベースハウジング４０に対してカバーハウジング５０を装着する方向Ａ２は−Ｚ方向であり、図７に示す方向Ａ１とは逆方向である。図１０に示すように、カバーハウジング５０を空間４１に押し込んでいくと、電線押さえ部材７０はカバーハウジング５０と共に−Ｚ方向に移動する。すると、カバーハウジング５０のプリセット用係止部５４が、ベースハウジング４０の被係止部４３に係止する。プリセット用係止部５４が被係止部４３に係止することにより、カバーハウジング５０は、ベースハウジング４０から脱落しないように、ベースハウジング４０に取り付けられる（プリセット状態）。コネクタ３０は、例えば、このプリセット状態で外部に出荷されて搬送される。
【００３９】
続いて、図１１に示すように、作業者は、カバーハウジング５０の電線用孔５１に被覆電線Ｃを挿入する。
【００４０】
続いて、作業者は、図１２（Ａ）に示すように、カバーハウジング５０を、ベースハウジング４０に対して、下方（−Ｚ方向）に押し込む。すると、図１２（Ｂ）に示すように、被覆電線Ｃは、導体接続部６３のスリットに沿って−Ｚ方向に移動する。このとき、圧接刃６３ａが被覆電線Ｃの被覆を除去する。被覆の除去により、被覆電線Ｃの導体と圧接端子６０との導通が確保される。同時に、図１２（Ｃ）に示すように、被覆電線Ｃは、被覆固定部６４のスリットに沿って−Ｚ方向に移動する。被覆固定部６４のスリットには、圧接刃６３ａが形成されていないため、被覆電線Ｃの被覆は除去されず、被覆電線Ｃはそのまま、被覆固定部６４のスリットに挟まれる。これにより、被覆電線Ｃは、被覆固定部６４に固定される。
【００４１】
さらに、作業者がカバーハウジング５０を下方（−Ｚ方向）にさらに押し込んでいくと、図１３に示すように、電線押さえ部材７０がカバーハウジング５０と共に−Ｚ方向に移動し、やがて、電線押さえ部材７０の下端が、ベースハウジング４０の空間４１の底面４１ａに当接し、ベースハウジング４０の突出部４２が、電線押さえ部材７０の溝７０ｂに入り込む。この当接により、電線押さえ部材７０の−Ｚ方向へのそれ以上の移動が規制される。
【００４２】
さらに、作業者がカバーハウジング５０を下方（−Ｚ方向）にさらに押し込んでいくと、電線押さえ部材７０の−Ｚ方向への移動が規制されているため、カバーハウジング５０の移動に伴って、電線押さえ部材７０が電線押さえ部材用孔５２の奥に嵌り込んでいく。すると、電線押さえ部材７０が被覆電線Ｃに当接する。
【００４３】
さらに、作業者がカバーハウジング５０を下方（−Ｚ方向）にさらに押し込んでいくと、図１４に示すように、電線押さえ部材７０が被覆電線Ｃをカバーハウジング５０に押さえ付ける。このとき、カバーハウジング５０の圧接用係止部５５が、ベースハウジング４０の被係止部４３に係止する。また、電線押さえ部材７０の第１係止部７１が、カバーハウジング５０の被係止部５６に係止する。以上により、電線押さえ部材７０により被覆電線Ｃが保持されて、コネクタ３０への被覆電線Ｃの接続が完了する。
【００４４】
以上、説明したように、図４及び図６に示すように、本実施の形態に係るコネクタ３０においては、電線押さえ部材７０は、カバーハウジング５０の電線押さえ部材用孔５２に嵌め込まれている。このため、電線押さえ部材７０を小型化することができる。ひいては、コネクタ３０の小型化を実現することができる。
【００４５】
例えば、特許文献１（特開２００４−５５５１５号公報）に記載のコネクタ１００では、図１５（Ａ）に示すように、電線押さえ部材７０は、カバーハウジング５０を挟み込む一対のアーム７３を有している。この一対のアーム７３の先端には、係止爪７４が形成されていると共に、カバーハウジング５０の側面には、当該係止爪７４が係止する係止爪５７が形成されている。一対のアーム７３がカバーハウジング５０を挟み込みつつ、係止爪７４が係止爪５７に係止することにより、電線押さえ部材７０は、被覆電線Ｃを保持しつつ、カバーハウジング５０に固定される。しかしながら、このコネクタ１００では、電線押さえ部材７０は、一対のアーム７３を有しているため、カバーハウジング５０の幅Ｗ１よりも大きな幅Ｗ２を有する。この結果、コネクタ１００全体のサイズが大きくなる。
【００４６】
これに対して、本実施の形態に係るコネクタ３０においては、図１５（Ｂ）に示すように、電線押さえ部材７０は、カバーハウジング５０の電線押さえ部材用孔５２に嵌め込まれている。このため、コネクタ１００の電線押さえ部材７０が有していたアーム７３を不要とすることができ、電線押さえ部材７０の幅Ｗ３を小さくすることができる。このため、コネクタ３０全体を大型化することなく、カバーハウジング５０に電線押さえ部材７０を取り付けることができ、結果として、コネクタ３０の小型化を実現することも可能になる。
【００４７】
また、本実施の形態では、図６に示すように、電線押さえ部材７０の第１係止部７１と、電線押さえ部材用孔５２の内面の被係止部５６との係止により、電線押さえ部材７０は被覆電線Ｃをカバーハウジング５０に押さえる。第１係止部７１と被係止部５６との係止により、電線押さえ部材７０は被覆電線Ｃを確実に保持することができる。
【００４８】
本実施の形態では、図４に示すように、電線押さえ部材７０には、被係止部５６に係止する第２係止部７２が設けられている。第２係止部７２が被係止部５６に係止することにより、電線押さえ部材７０は、カバーハウジング５０から脱落しないように、カバーハウジング５０に取り付けられる。このため、コネクタ３０に対する被覆電線Ｃの接続作業の作業性を向上させることができる。
【００４９】
本実施の形態では、電線押さえ部材７０は板状の部材から構成され、電線押さえ部材用孔５２は、開口が細長いスロットから構成されている。このため、電線押さえ部材用孔５２の内面によって案内されつつ、電線押さえ部材７０を電線押さえ部材用孔５２に容易に嵌め込むことができる。
【００５０】
本実施の形態では、電線押さえ部材７０の先端には、被覆電線Ｃの断面形状に適合する円弧状の電線配置部７０ａが形成されている。このため、電線押さえ部材７０は被覆電線Ｃをカバーハウジング５０に良好に押さえることができる。
【００５１】
本実施の形態では、作業者がプリセット状態のコネクタ３０のカバーハウジング５０を下方に押圧することで、ベースハウジング４０へのカバーハウジング５０の装着と、電線押さえ部材７０による被覆電線Ｃの保持との双方を同時に行うことができる。このため、コネクタ３０に対する被覆電線Ｃの接続作業の作業性を向上させることができる。
【００５２】
以上、本発明の実施の形態について説明したが、本発明は上記実施の形態によって限定されるものではない。
【００５３】
例えば、本発明の実施の形態では、コネクタ３０は圧接端子６０を備えている。しかしながら、これに限られない。コネクタ３０は圧着端子を備えていてもよい。
【００５４】
また、本発明の実施の形態では、コネクタ３０は、メスコネクタから構成されている。しかしながら、これに限られない。電線押さえ部材７０がカバーハウジング５０の電線押さえ部材用孔５２に嵌め込まれている構造を有するものが、オスコネクタであってもよい。また、図１に示すように、コネクタ３０、及びコネクタ３０が嵌合する相手側コネクタ２０の双方とも、当該構造を有していてもよい。
【００５５】
また、本発明の実施の形態では、コネクタ３０に接続される電線は、被覆電線Ｃである。しかしながら、これに限られない。コネクタ３０に接続される電線は、被覆電線Ｃ以外の種類の電線であってもよい。
【００５６】
本実施形態では、ベースハウジング４０に突出部４２が設けられていた。しかしながら、これに限られない。ベースハウジング４０の底面４１ａには、突出部４２が形成されていなくてもよい。この構成の場合、電線押さえ部材７０が嵌め込まれたカバーハウジング５０をベースハウジング４０に押し込む際、底面４１ａが電線押さえ部材７０の下端に当接する。
【００５７】
本発明は、本発明の広義の精神と範囲を逸脱することなく、様々な実施の形態及び変形が可能とされるものである。上述した実施の形態は、本発明を説明するためのものであり、本発明の範囲を限定するものではない。
【符号の説明】
【００５８】
２０：相手側コネクタ、２１：相手側ベースハウジング、２２：相手側カバーハウジング、３０，１００：コネクタ、４０：ベースハウジング、４１：空間、４１ａ：底面（当接する面）、４１ｂ，４１ｃ：側壁面、４２：突出部、４３：被係止部、５０：カバーハウジング、５０ａ：底面（対向する面）、５０ｂ，５０ｃ：側壁面、５０ｄ：上面、５１：電線用孔、５２：電線押さえ部材用孔、５３：圧接端子用孔、５４：プリセット用係止部、５５：圧接用係止部、５６：被係止部、５７：係止爪、６０：圧接端子、６１：筒状部、６２：ベース部、６３：導体接続部、６３ａ：圧接刃、６４：被覆固定部、７０：電線押さえ部材、７０ａ：電線配置部、７０ｂ：溝、７０ｃ：基端、７１：第１係止部、７２：第２係止部、７３：アーム、７４：係止爪、Ｃ：被覆電線（電線）、Ａ１：（電線押さえ部材用孔に対して電線押さえ部材が嵌め込まれる）方向、Ａ２：（ベースハウジングに対してカバーハウジングを装着する）方向、Ｗ１，Ｗ２，Ｗ３：幅。
【図１】
2019021462.tif 000003
【図２】
2019021462.tif 000004
【図３】
2019021462.tif 000005
【図４】
2019021462.tif 000006
【図５】
2019021462.tif 000007
【図６】
2019021462.tif 000008
【図７】
2019021462.tif 000009
【図８】
2019021462.tif 000010
【図９】
2019021462.tif 000011
【図１０】
2019021462.tif 000012
【図１１】
2019021462.tif 000013
【図１２】
2019021462.tif 000014
【図１３】
2019021462.tif 000015
【図１４】
2019021462.tif 000016
【図１５】
2019021462.tif 000017